【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
原子炉（１０）内でジェットポンプビーム（８６）を検査する方法（１４６）であって、前記原子炉が、少なくとも1つのジェットポンプ組立体（４４）を含み、各ジェットポンプ組立体が少なくとも1つのジェットポンプビームを含み、各ジェットポンプビームが、ビームボルト開口部（１０６）、第１アーム（１３０）、第２アーム（１３２）、上面（１５８）、及び底面（１５２）を含んでおり、該方法が、
前記ジェットポンプビームの底面（１５２）の下に隣接させて、少なくとも１つの超音波整相アレープローブ（１５０）を配置する段階（１４８）と、
前記少なくとも１つの超音波整相アレープローブ（１５０）で該ジェットポンプビーム（８６）を走査する段階（１５４）であって、このジェットポンプビームの走査ボリューム（１５６）が、前記ボルト開口部（１０６）から該ビームの第２アーム（１３２）まで延び、かつ、該ビームの上面（１５８）から少なくとも該ビームの底部（１５２）に向かって部分的に延びる区域（１５６）を含むように走査する段階（１５４）と、
を含むことを特徴とする方法（１４６）。
【請求項２】
少なくとも１つの超音波整相アレープローブ（１５０）を配置する前記段階（１４８）は、前記ジェットポンプビームの第１アーム（１３０）の底面（１５２）に隣接させて、第１の超音波整相アレープローブ（１５０）を配置する段階を含み、
該方法は、さらに、
前記第１の超音波整相アレープローブ（１５０）で前記ジェットポンプビームの第１アーム（１３０）を走査する段階と、
前記ジェットポンプビームの第２アーム（１３２）の底面に隣接させて、前記第１の超音波整相アレープローブ（１５０）を再配置する段階と、
前記第１の超音波整相アレープローブで前記ジェットポンプビーム（８６）の第２アーム（１３２）を走査する段階と、
を含むことを特徴とする、請求項１に記載の方法（１４６）。
【請求項３】
少なくとも１つの超音波整相アレープローブを配置する前記段階（１４８）は、
前記ジェットポンプビームの第１アーム（１３０）の底面（１５２）に隣接させて、第１の超音波整相アレープローブ（１５０）を配置する段階と、
前記ジェットポンプビームの第２アーム（１３２）の底面に隣接させて、第２の超音波整相アレープローブを配置する段階と、
を含むことを特徴とする、請求項１に記載の方法（１４６）。
【請求項４】
前記ジェットポンプビーム（８６）を走査する前記段階（１５４）は、
前記第１の超音波整相アレープローブ（１５０）で前記ジェットポンプビームの第１アーム（１３０）を走査する段階と、
前記第２の超音波整相アレープローブで前記ジェットポンプビームの第２アーム（１３２）を走査する段階と、
を含むことを特徴とする、請求項３に記載の方法（１４６）。
【請求項５】
各ジェットポンプ組立体（４４）が、第１ジェットポンプビーム（８６）と第２ジェットポンプビームとを含んでおり、前記ジェットポンプビームの底面（１５２）に隣接させて少なくとも１つの超音波整相アレープローブ（１５０）を配置する前記段階（１４８）は、
前記第１ジェットポンプビームの第１アーム（１３０）の底面（１５２）に隣接させて第１の超音波整相アレープローブ（１５０）を配置する段階と、
前記第２ジェットポンプビームの第１アームの底面に隣接させて、第２の超音波整相アレープローブを配置する段階と、
を含むことを特徴とする、請求項１に記載の方法（１４６）。
【請求項６】
前記ジェットポンプビーム（８６）を走査する前記段階は、
前記第１の超音波整相アレープローブ（１５０）で前記第１ジェットポンプビームの第１アーム（１３０）を走査する段階と、
前記第２の超音波整相アレープローブで前記第２ジェットポンプビームの第１アームを走査する段階と、
前記第１ジェットポンプビームの第２アーム（１３２）の底面に隣接させて前記第１の超音波整相アレープローブを再配置する段階と、
前記第２ジェットポンプビームの第２アームの底面に隣接させて前記第２の超音波整相アレープローブを再配置する段階と、
前記第１及び第２の超音波整相アレープローブでそれぞれ前記第１及び第２ジェットポンプビームの第２アームを走査する段階と、
を含むことを特徴とする、請求項５に記載の方法（１４６）。
【請求項７】
各ジェットポンプ組立体（４４）が、第１ジェットポンプビーム（８６）と第２ジェットポンプビームとを含んでおり、前記ジェットポンプビームの底面（１５２）に隣接させて少なくとも１つの超音波整相アレープローブ（１５０）を配置する前記段階（１４８）は、
前記第１ジェットポンプビームの第１アーム（１３０）の底面に隣接させて第１の超音波整相アレープローブを配置する段階と、
前記第１ジェットポンプビームの第２アーム（１３２）の底面に隣接させて第２の超音波整相アレープローブを配置する段階と、
前記第２ジェットポンプビームの第１アームの底面に隣接させて第３の超音波整相アレープローブを配置する段階と、
前記第２ジェットポンプビームの第２アームの底面に隣接させて第４の超音波整相アレープローブを配置する段階と、
を含むことを特徴とする、請求項１に記載の方法（１４６）。
【請求項８】
前記ジェットポンプビーム（８６）を走査する前記段階は、
前記第１の超音波整相アレープローブ（１５０）で前記第１ジェットポンプビームの第１アーム（１３０）を走査する段階と、
前記第２の超音波整相アレープローブで前記第１ジェットポンプビームの第２アーム（１３２）を走査する段階と、
前記第３の超音波整相アレープローブで前記第２ジェットポンプビームの第１アームを走査する段階と、
前記第４の超音波整相アレープローブで前記第２ジェットポンプビームの第２アームを走査する段階と、
を含むことを特徴とする、請求項７に記載の方法（１４６）。
【請求項９】
前記ジェットポンプビーム（８６）を走査する前記段階（１５４）は、該ジェットポンプビームの走査されたボリューム（１５６）が、前記ボルト開口部（１０６）から該ビームの第２アーム（１３２）まで延びかつ該ビームの上面（１５８）から少なくとも部分的に該ビームの底部（１５２）に向かって延びる区域を更に含むように、前記少なくとも１つの超音波整相アレープローブ（１５０）で該ジェットポンプビームを走査する段階を更に含むことを特徴とする、請求項1に記載の方法（１４６）。
【手続補正２】
【補正対象書類名】明細書
【補正対象項目名】０００４
【補正方法】変更
【補正の内容】
【０００４】
原子炉運転の間に受ける振動を含む、ジェットポンプビームに作用する静的及び動的荷重は、場合によっては、ビームの上部中央部分に始まるビーム亀裂を生じさせることが判明した。各ジェットポンプビームは、管エルボを所定位置に保持し、この管エルボが、原子炉水を入口昇水管からジェットポンプノズルに向けて導く。
【特許文献１】米国特許第４３９４３４５号  １９８３年７月発行
【特許文献２】米国特許第４５３１６６３号  １９８５年７月発行
【特許文献３】米国特許第５１９４２１５号  １９９３年３月発行
【特許文献４】米国特許第５５６８６２７号  １９９６年１０月発行
【特許文献５】米国特許第５７１０３７８号  １９９８年１月発行
【特許文献６】米国特許第５８６４５９５号  １９９９年１月発行
【特許文献７】米国特許第６０８２１９８号  ２０００年７月発行
【特許文献８】米国特許第６１３７８５３号  ２０００年１０月発行
【特許文献９】米国特許第６１８６９４８号  ２００１年２月発行
【特許文献１０】米国特許第６３３２０１１号  ２００１年１２月発行